(57)【要約】【課題】  スライダを極力薄型化してもスライダの強度を持たせるようにし、かつ、ハウジング内におけるスライダの収納スペースを有効利用したスライドスイッチを提供する。【解決手段】  ハウジングの収納凹部内に、接触可動片を取り付けたスライダを収納してカバーを被せ、固定接点間を切り換えるスライドスイッチにおいて、スライダは、略土の字形をなし、一端部の弾性アームと中間のスライドアームとの間に、左右に凹所が切り欠かれ、スライダの合成樹脂による成型時に接触可動片の基部を一体に埋設するとともに、接触可動片の接点をスライダの凹所を形成する側壁から突設し、弾性アームの両端部に設けた係合突部を、ハウジングの後板部の内側に押し付けるようにして圧接しながらスライドアームを前板部の内側に密接して摺動自在に嵌め込む。【選択図】  図１
2005340061.tif 000002
【特許請求の範囲】
【請求項１】
上面開口したハウジングの収納凹部内に、接触可動片を取り付けたスライダを収納してカバーを被せ、前記接触可動片のスライドにより固定接点間を切り換え接続するようにしたスライドスイッチにおいて、前記接触可動片の接点を前記スライダの側面から突出するように設けたことを特徴とするスライドスイッチ。
【請求項２】
上面開口したハウジングの収納凹部内に、接触可動片を取り付けたスライダを収納してカバーを被せ、前記接触可動片のスライドにより固定接点間を切り換え接続するようにしたスライドスイッチにおいて、前記スライダの合成樹脂による成型時に前記接触可動片の基部を一体に埋設するとともに、前記接触可動片の接点を前記スライダの側面から突設したことを特徴とするスライドスイッチ。
【請求項３】
上面開口したハウジングの収納凹部内に、接触可動片を取り付けたスライダを収納してカバーを被せ、前記接触可動片のスライドにより固定接点間を切り換え接続するようにしたスライドスイッチにおいて、前記スライダは、略土の字形をなし、一端部の弾性アームと中間のスライドアームとの間に、左右に凹所を切り欠き、スライドアームから操作つまみを突出し、前記スライダの合成樹脂による成型時に前記接触可動片の基部を一体に埋設するとともに、前記接触可動片の接点を前記スライダの凹所を形成する側壁から突設し、この接点の先端部を接触可動片の下面よりやや下方へ突出するように下向きに屈曲したことを特徴とするスライドスイッチ。
【請求項４】
上面開口したハウジングの収納凹部内に、接触可動片を取り付けたスライダを収納してカバーを被せ、前記接触可動片のスライドにより固定接点間を切り換え接続するようにしたスライドスイッチにおいて、前記スライダは、略土の字形をなし、一端部の弾性アームと中間のスライドアームとの間に、左右に凹所が切り欠かれ、スライドアームから操作つまみを突出し、前記スライダの合成樹脂による成型時に前記接触可動片の基部を一体に埋設するとともに、前記接触可動片の接点を前記スライダの凹所を形成する側壁から突設し、この接点の先端部を接触可動片の下面よりやや下方へ突出するように下向きに屈曲し、前記弾性アームの両端部に設けた係合突部を、ハウジングの後板部の内側に押し付けるようにして圧接しながらスライドアームを前板部の内側に密接して摺動自在に嵌め込んだことを特徴とするスライドスイッチ。
【請求項５】
上面開口したハウジングの収納凹部内に、接触可動片を取り付けたスライダを収納してカバーを被せ、前記接触可動片のスライドにより固定接点間を切り換え接続するようにしたスライドスイッチにおいて、前記ハウジングの前板部には、窓部が形成され、後板部には、内側の両隅に係合凹部とこの係合凹部のやや内側にそれぞれ傾斜突部が形成され、前記スライダは、略土の字形をなし、一端部の弾性アームと中間のスライドアームとの間に、左右に凹所が切り欠かれ、スライドアームから操作つまみを突出し、前記スライダの合成樹脂による成型時に前記接触可動片の基部を一体に埋設するとともに、前記接触可動片の接点を前記スライダの凹所を形成する側壁から突設し、この接点の先端部を接触可動片の下面よりやや下方へ突出するように下向きに屈曲し、前記弾性アームの両端部に設けた一方の係合突部を、ハウジングの後板部の内側の一方の係合凹部に押し付け、他方の係合突部を、ハウジングの後板部の内側の他方の傾斜突部よりやや内側に押し付けるようにして圧接しながらスライドアームを前板部の内側に密接するようにして摺動自在に嵌め込み、前記操作つまみを窓部から突出させたことを特徴とするスライドスイッチ。
【発明の詳細な説明】
【技術分野】
【０００１】
本発明は、携帯電話機、その他の小型の電子機器に使用され、機械的強度を保持したまま全体の形状を薄型にした超小型のスライドスイッチに関するものである。
【背景技術】
【０００２】
最近の小型の電気機器に搭載されるスライドスイッチには、幅が７ｍｍ、奥行きが３ｍｍ、厚さが２ｍｍなどのような超小型のスライドスイッチが搭載されている。
従来のこの種のスライドスイッチには、図５及び図６に示すものがあった。
これらの図において、スライドスイッチは、上面を開口したハウジング１０と、スライダ１２と、カバー１１とからなる。前記ハウジング１０の底部１５には、中央に第１の固定接点１６が設けられ、この第１の固定接点１６の両側に第２の固定接点１７と第３の固定接点１８が設けられている。前記スライダ１２は、ハウジング１０の収納凹部１３内をスライドするもので、下面にスライド方向に向いた取り付け溝３６が形成され、この取り付け溝３６の前後が摺動脚部３７となっている。取り付け溝３６には、接触可動片１９がダボ２０によって取り付けられ、接触可動片１９の両端の接点２４ａ、２４ｂが前記第１の固定接点１６、第２の固定接点１７、第３の固定接点１８間を接離する。ハウジング１０には、スライダ１２を保持するカバー１１が被せられ、このカバー１１の係合突部２３がスライダ１２の係合凹部２２ａ、２２ｂ、２２ｃのいずれかに係合してクリック感を得るとともに、位置決めされる。
【０００３】
このような構成において、ハウジング１０の窓部１４から突出している操作つまみ２１を操作してスライダ１２を図５の左方向にスライドすると、接触可動片１９の接点２４ａが第２の固定接点１７に接続し、接点２４ｂが第１の固定接点１６に接続される。このとき、カバー１１の係合突部２３が係合凹部２２ｃに係合してクリック感が得られるとともに、安定的に位置保持される。操作つまみ２１を操作してスライダ１２を図５の右方向にスライドしたときも同様である。
【０００４】
また、前記図５及び図６のように、接触可動片１９をスライダ１２の下面の取り付け溝３６に直接取り付けるのではなく、接触可動片１９をスライダ１２とは別部材の接片保持部に取り付け、この接片保持部をスライダ１２に嵌合したものもあった（特許文献１）。
【特許文献１】特開平５−１９００５６
【発明の開示】
【発明が解決しようとする課題】
【０００５】
前記図５及び図６に示すものや特許文献１に示すものは、いずれも薄型化に限度があるという問題点があった。すなわち、薄型化には、スライダ１２の厚さを可能な限り薄くすることが考えられる。しかし、このスライダ１２は、必要以上に薄くすると接触可動片１９を保持するための機械的強度が得られなくなる。又、スライダ１２と接触可動片１９が２段重ねの構造では、スライダ１２の厚さを薄くすることができたとしても、接触可動片１９にばね性をもたせるために湾曲させることが必要なため、接触可動片１９自体の高さが高くなり、全体の薄型化は不可能である。さらに、スライダ１２の上面に係合凹部２２を形成して係合突部２３で押圧すると、薄型化したスライダ１２の両端部が反り返ってしまい、スライダ１２に対する接触可動片１９の取り付け位置ずれが生じたり、第１の固定接点１６，第２の固定接点１７，第３の固定接点１８などの端子部がプリント配線板から浮いてしまい、半田付けが不十分になるなどの問題があった。
【課題を解決するための手段】
【０００６】
本発明は、スライダ１２に接触可動片１９を埋め込み、側壁３８から接触可動片１９を突出させることにより、スライダ１２を極力薄型化してもスライダ１２の強度を持たせるようにし、かつ、クリック感と安定した位置決めのための係合手段は、スライダ１２の厚さ方向ではなく、幅方向に弾性をもたせる構成とするものである。
【発明の効果】
【０００７】
請求項１記載の発明によれば、接触可動片の接点を前記スライダの側面から突出するように設けたので、スライダと接触可動片を２重に重ねた構造ではなく、１重構造となり、従来の厚さの数分の一（例えば数１００ミクロン）まで薄くすることができる。即ち、従来品のようなスライダに接触可動片を収納するスペースを必要とせず、ハウジングの収納凹部のエリアを有効利用することができる。
【０００８】
請求項２記載の発明によれば、スライダの合成樹脂による成型時に接触可動片の基部を一体に埋設することで、薄くてしかも強度が大きなスライドスイッチを得ることができる。又、従来のような接触可動片をスライダに加締め固定する必要がなくなり、組み立て工数の低減が可能となる。さらに、接触可動片をスライダとは別部材の接片保持部に取り付け、この接片保持部をスライダに嵌合した従来品に比べ、部品点数の削減ができる。
【０００９】
請求項３記載の発明によれば、スライダは、略土の字形をなし、一端部の弾性アームと中間のスライドアームとの間に、左右に凹所を切り欠き、スライドアームから操作つまみを突出し、スライダの合成樹脂による成型時に接触可動片の基部を一体に埋設するとともに、接触可動片の接点をスライダの凹所を形成する側壁から突設し、この接点の先端部を接触可動片の下面よりやや下方へ突出するように下向きに屈曲したので、接触可動片の接点がスライドするスライドアーム及び弾性アームと同一平面内に配置でき、スライダの厚さを可能な限り薄くして全体の厚さを従来の数分の一にできる。また、スライダの一端部の弾性アームによりばね性を得ることで、従来のように板ばねを用いたり、カバーでばねを形成したものに比較して、弾性アームが揺動する幅をより小さくすることができる。さらに、スライドアームによってスライドが円滑に行なわれるだけでなく、スライダの抜け止め、接触可動片の保護ができる。
【００１０】
請求項４記載の発明によれば、弾性アームの両端部に設けた係合突部を、ハウジングの後板部の内側に押し付けるようにして圧接しながらスライドアームを前板部の内側に密接するようにして摺動自在に嵌め込んだので、弾性アームとスライドアームがハウジングの後板部と側板部の内側に接して幅方向に負荷を受けながらスライドする。したがって、スライダが反り返ったり、他の機能に悪影響を与えるようなことはなくなる。
【００１１】
請求項５記載の発明によれば、弾性アームの両端部に設けた一方の係合突部を、ハウジングの後板部の内側の一方の係合凹部に押し付け、他方の係合突部を、ハウジングの後板部の内側の他方の傾斜突部よりやや内側に押し付けるようにして圧接しながらスライドアームを前板部の内側に密接するようにして摺動自在に嵌め込み、操作つまみを窓部から突出させたので、クリック感と安定感がスライダの幅方向に得られ、スライダが反り返ったり、他の機能に悪影響を与えるようなことはなくなる。また、操作つまみをスライドのための窓部から突出することで生じる隙間が他の部品を用いることなく、スライドアームによって目隠しされる。
【発明を実施するための最良の形態】
【００１２】
本発明は、上面開口したハウジングの収納凹部内に、接触可動片を取り付けたスライダを収納してカバーを被せ、前記接触可動片のスライドにより固定接点間を切り換え接続するようにしたスライドスイッチにおいて、前記ハウジングの前板部には、窓部が形成され、後板部には、内側の両隅に係合凹部とこの係合凹部のやや内側にそれぞれ傾斜突部が形成され、前記スライダは、略土の字形をなし、一端部の弾性アームと中間のスライドアームとの間に、左右に凹所が切り欠かれ、スライドアームから操作つまみを突出し、前記スライダの合成樹脂による成型時に前記接触可動片の基部を一体に埋設するとともに、前記接触可動片の接点を前記スライダの凹所を形成する側壁から突設し、この接点の先端部を接触可動片の下面よりやや下方へ突出するように下向きに屈曲し、前記弾性アームの両端部に設けた一方の係合突部を、ハウジングの後板部の内側の一方の係合凹部に押し付け、他方の係合突部を、ハウジングの後板部の内側の他方の傾斜突部よりやや内側に押し付けるようにして圧接しながらスライドアームを前板部の内側に密接するようにして摺動自在に嵌め込み、前記操作つまみを窓部から突出させたことを特徴とするスライドスイッチである。
【実施例１】
【００１３】
図１乃至図４において、本発明のスライドスイッチは、ハウジング１０，第１の固定接点１６，第２の固定接点１７，第３の固定接点１８、スライダ１２，接触可動片１９，カバー１１から構成される。
前記ハウジング１０は、合成樹脂で成型加工したもので、大きさは、例えば、幅が７．０ｍｍ、奥行きが３．０ｍｍ、厚さが０．７ｍｍである。このハウジング１０には、前板部３３、後板部３５、両側の側板部３４によって囲まれ、上面を開口した収納凹部１３が形成されている。前記前板部３３には、窓部１４が形成されている。前記後板部３５には、内側の両隅に係合凹部４０ａ、４０ｂと、この係合凹部４０ａ、４０ｂのやや内側に傾斜突部３０ａ、３０ｂが形成され、また、外側に嵌合切り欠き２６が形成されている。前記両側の側板部３４の外側には、角の下側に合計４個所の係止切り欠き２５が形成されている。
【００１４】
このハウジング１０の底部１５には、この底部１５と同一面となるように上面を露出して中央に第１の固定接点１６、両側に第２の固定接点１７と第３の固定接点１８が互いにやや間隔を持ってハウジング１０の成型時に一体に設けられている。前記第１の固定接点１６の２個の端子部１６ａ、１６ｂは、後板部３５の外側に突出し、第２の固定接点１７の２個の端子部１７ａ、１７ｂは、一方の側板部３４の外側と後板部３５の外側に突出し、第３の固定接点１８の２個の端子部１８ａ、１８ｂは、他方の側板部３４の外側と後板部３５の外側に突出している。
【００１５】
前記スライダ１２は、厚さが例えば０．４ｍｍで、上面から見て略土の字形をなしている。即ち、一端部の横棒部分は弾性アーム２８であり、この弾性アーム２８と中間のスライドアーム２７との間には、左右に凹所２９が切り欠かれ、又、スライドアーム２７から突出した部分は操作つまみ２１を形成している。前記弾性アーム２８の両端部には、幅方向にやや突出した係合突部２３ａ、２３ｂが一体に設けられている。
【００１６】
前記接触可動片１９は、基部３９と、この基部３９から十字形に左右に伸び、かつ、２つ割りした接点２４ａ、２４ｂとからなる。この接触可動片１９は、前記スライダ１２の成型時に一体に基部３９を埋設される。また、この接触可動片１９の左右の接点２４ａ、２４ｂは、凹所２９内に臨ませられるように側壁３８から突出し、接触可動片１９の下面よりやや下方へ突出するように下向きに屈曲している。
この接触可動片１９付きスライダ１２は、ハウジング１０の収納凹部１３内に上から嵌合される。このとき、弾性アーム２８の両側が図２に示す点線状態にあるのを、後板部３５の内側に押し付けるようにして圧接しながらスライドアーム２７を前板部３３の内側に密接するようにして嵌め込む。すると、操作つまみ２１が窓部１４から突出し、かつ、係合突部２３ａが係合凹部４０ａに係合し、接点２４ａが第２の固定接点１７に接触し、接点２４ｂが第１の固定接点１６に接触する。
【００１７】
前記カバー１１は、例えば、厚さ０．１ｍｍ程度のステンレスなどの金属板からなり、奥行き部分の下向きに折り曲げられた補強片部３１は、ハウジング１０の嵌合切り欠き２６に嵌合し、又、左右側板部分は、ハウジング１０の厚さ分だけ下向きに折り曲げられており、かつ、ハウジング１０に上から被せた後、それぞれの前後両端部に設けられた係止片部３２が前記係止切り欠き２５に食い込むように折り曲げられて係止する。
【００１８】
以上のような構成において、操作つまみ２１を図２の状態から窓部１４に沿って右方向にスライドすると、係合凹部４０ａに係合していた係合突部２３ａは、弾性アーム２８の弾性に抗して傾斜突部３０ａを乗り越え、同時に係合突部２３ｂは、弾性アーム２８の弾性に抗して傾斜突部３０ｂを乗り越え係合凹部４０ｂに係合し、クリック感が得られるとともに、安定状態で停止する。この結果、接点２４ａが第２の固定接点１７から第１の固定接点１６に切り替わり、接点２４ｂが第１の固定接点１６から第３の固定接点１８に切り替わり接触する。
この状態から操作つまみ２１を左方向にスライドすると、元の図２の状態に戻る。
【図面の簡単な説明】
【００１９】
【図１】本発明によるスライドスイッチの一実施例を示す図２におけるＢ−Ｂ線縦断面図である。
【図２】図１におけるＡ−Ａ線横断面図である。
【図３】図２におけるＣ−Ｃ線横断面図である。
【図４】本発明によるスライドスイッチの一実施例を示す分解斜視図である。
【図５】従来のスライドスイッチを示す図６におけるＥ−Ｅ線縦断面図である。
【図６】図５におけるＤ−Ｄ線横断面図である。
【符号の説明】
【００２０】
１０…ハウジング、１１…カバー、１２…スライダ、１３…収納凹部、１４…窓部、１５…底部、１６…第１の固定接点、１７…第２の固定接点、１８…第３の固定接点、１９…接触可動片、２０…ダボ、２１…操作つまみ、２２…係合凹部、２３…係合突部、２４ａ、２４ｂ…接点、２５…係止切り欠き、２６…嵌合切り欠き、２７…スライドアーム、２８…弾性アーム、２９…凹所、３０…傾斜突部、３１…補強片部、３２…係止片部、３３…前板部、３４…側板部、３５…後板部、３６…取り付け溝、３７…摺動脚部、３８…側壁、３９…基部、４０ａ、４０ｂ…係合凹部。
【図１】
2005340061.tif 000003
【図２】
2005340061.tif 000004
【図３】
2005340061.tif 000005
【図４】
2005340061.tif 000006
【図５】
2005340061.tif 000007
【図６】
2005340061.tif 000008